(57)【特許請求の範囲】
【請求項１】
企業の業務を遂行する仕入管理ソフトを少なくとも含む各種業務ソフトを備える企業のコンピュータシステムと、その企業の仕入先各社の購入先Ｗｅｂサイトとから構成され、企業の購買担当者が商品を発注するに際し、インターネット上の前記購入先Ｗｅｂサイトで公開されている商品価格情報を取得し、前記仕入管理ソフトの発注伝票入力画面に前記各社の商品価格を一覧表示させ、前記購買担当者が最低価格を見出し、発注処理するシステムであって、
前記購入先Ｗｅｂサイトからインターネットを利用して、ある特定の商品の購買価格を、その商品の商品ＩＤによって取得できるように、予め商品毎の業界によって統一された商品ＩＤ番号を定め、
前記企業のコンピュータシステムは、
商品毎に前記商品ＩＤ番号と、全ての購入先Ｗｅｂサイトアドレスをデータベースに予め登録し、発注伝票を作成するときは購買担当者が前記発注伝票入力画面へ商品コード、商品名を入力して、前記データベースより前記商品ＩＤ番号を読出し、それに関連する全ての購入先Ｗｅｂサイトアドレスに前記商品ＩＤ番号を発信させて、前記商品ＩＤの購入価格を受信して、前記発注伝票入力画面にその一覧表を表示する手段を備え、
前記企業のコンピュータシステムのデータベースは、少なくとも商品マスタである商品基本情報テーブルと、仕入先マスタである仕入先基本情報テーブルと、各社毎の購入先Ｗｅｂサイトアドレステーブルと、各社毎の発注データテーブルとからなり、
前記企業のコンピュータシステムは、前記仕入管理ソフトで記載されたプログラムの実行により機能する、
購入先Ｗｅｂサイトアドレス登録画面において、商品コード、商品名、前記商品ＩＤ番号と、仕入先コード、仕入先名、当該商品の価格情報を提供している購入先商品価格提供サイトアドレス及びその購入先注文受付サイトアドレスを入力して、それらのデータを前記購入先Ｗｅｂサイトアドレステーブルに登録する購入先Ｗｅｂサイトアドレス登録手段（１）と、
前記発注伝票入力画面において、発注番号、発注日付、商品コードを入力して、前記購入先Ｗｅｂサイトアドレステーブルを検索し、商品ＩＤ番号及び商品名を自動表示させる商品ＩＤ番号自動表示手段（２）と、
仕入商品の前記商品ＩＤ番号をインターネットを経由して、前記購入先商品価格提供サイトアドレスに発信する商品価格提供依頼発信手段（３）と、
商品価格提供依頼により、前記購入先Ｗｅｂサイトから前記商品ＩＤ番号の商品コード、商品名、価格からなる返信データを受信して、仕入先毎の仕入先コード、仕入先名、商品コード、商品名、価格の一覧表を、前記アドレステーブルに基づいて生成した発注先選択リストを表示する商品価格一覧表示手段（４）と、
前記発注先選択リストにより、最低価格を提示している仕入先を商品の発注先として選択し、単価と、その商品数量を入力し、購入金額を計算して、前記発注データテーブルに記録する発注先購入金額記録手段（５）とを少なくとも備え、
前記企業の購入先Ｗｅｂサイトに注文受付サイトアドレスが備えられている時は、
前記発注伝票入力画面上で、前記発注先購入金額記録手段（５）により発注データテーブルへ発注データを記録後、前記発注伝票入力画面からＷｅｂブラウザを起動し、発注先の前記注文受付サイトアドレスを前記購入先Ｗｅｂサイトアドレステーブルから読出し、発注先の注文受付サイトを開き、注文受付画面に発注データを自動入力して、該入力データを発注先に発信する仕入先発注データ発信手段（６）を備えることを特徴とするインターネットを利用した商品購入価格自動表示機能付仕入管理システム。
【請求項２】
企業のＷｅｂブラウザを有するパソコンと、それらの企業のパソコンからインターネットを経由する少なくとも仕入管理ソフトを含む各種業務ソフトのレンタル利用依頼アクセス信号に応答して、その業務ソフトのメニュー及び業務処理入力画面を企業のパソコンへ送信し企業業務を遂行させる業務ソフトサービス運営事業者のデータセンタと、それら企業の仕入先各社の購入先Ｗｅｂサイトとから構成され、企業の購買担当者が商品を発注するに際し、その企業のパソコンへ前記データセンタから送信された仕入管理ソフトに記載されたプログラムの実行により機能し、前記発注伝票入力画面上でインターネット上の前記購入先Ｗｅｂサイトで公開されている商品価格情報を取得し、前記発注伝票入力画面に前記各社の商品価格を一覧表示させ、前記購買担当者が最低価格を見出し、発注処理できるシステムであって、
前記各社Ｗｅｂサイトでインターネットを利用して、ある特定の商品の購買価格を、商品ＩＤによって取得できるように、予め商品毎の業界によって統一された商品ＩＤ番号を定め、
前記企業のパソコンは、インターネットを経由して前記データセンタのデータベースへ商品毎に前記商品ＩＤ番号と、全ての購入先Ｗｅｂサイトアドレスを予め登録し、前記企業のパソコンで発注伝票を作成するときは、購買担当者が、前記発注伝票入力画面へ商品コード、商品名を入力して前記データセンタへ送付し、前記データセンタは該入力データをインターネットを介して受信し、前記データベースより前記商品ＩＤ番号を読出し、それに関連する全ての購入先Ｗｅｂサイトアドレスに商品ＩＤ番号を発信し、前記購入先Ｗｅｂサイトから該当する前記商品ＩＤの購入価格を受信して、該受信データをインターネットを経由して前記企業のパソコンへ送信し、該送信データを受信した前記企業のパソコンは、前記発注伝票入力画面に商品購入価格一覧表を表示する手段を備え、
前記データセンタの前記データベースは、少なくとも前記会員のＩＤコード・パスワードを記録する会員テーブルと、商品基本情報テーブルと、仕入先基本情報テーブルと、購入先Ｗｅｂサイトアドレステーブルと、発注データテーブルとからなり、
前記データセンターは、
前記企業のパソコンから仕入管理ソフトの購入先Ｗｅｂサイトアドレス登録依頼があるときは、そのパスワードと前記会員テーブルとにより認証を行い、該アクセス信号に応答して、前記企業のパソコンへ購入先Ｗｅｂサイトアドレス登録画面を送信すると共に、その登録画面において、企業担当者が商品コード、商品名、前記商品ＩＤ番号と、仕入先コード、仕入先名、当該商品の価格情報を提供している購入先商品価格提供サイトアドレス及びその購入先注文受付サイトアドレスを入力すると、該入力データをインターネット経由で受信し、該受信データを前記購入先Ｗｅｂサイトアドレステーブルに登録する購入先Ｗｅｂサイトアドレス登録画面送信／データ受信手段（１’）と、
前記企業のパソコンから発注伝票作成依頼があるときは、そのパスワードと前記会員テーブルとにより認証を行い、該アクセス信号に応答して、前記企業のパソコンへ発注伝票入力画面を送信すると共に、その入力画面により企業担当者が発注番号、発注日付、商品コードを入力して、インターネット経由で送信すると、該送信データを受信し、購入先Ｗｅｂサイトアドレステーブルを検索し、商品ＩＤ番号及び商品名を読出し、前記企業のパソコンへ送信し、該送信データを受信したパソコンの端末画面に自動表示させる発注伝票入力画面送信／商品ＩＤ番号自動表示手段（２’）と、
前記商品ＩＤ番号をインターネットを経由して前記購入先商品価格提供サイトアドレスに発信する商品価格提供依頼発信手段（３’）と、
商品価格提供依頼を受信した購入先Ｗｅｂサイトからの当該商品ＩＤ番号の商品コード、商品名、価格の返信データを受信し、仕入先毎の仕入先コード、仕入先名、商品コード、商品名、価格の一覧表をインターネット経由で前記企業のパソコンへ送信し、発注先選択リストを表示させる商品価格一覧生成／送信表示手段（４’）と、
前記発注先選択リストから、最低価格を提示している仕入先を商品の発注先として選択した前記企業のパソコンからの選択信号及び、入力商品数量データ信号を受信し、商品単価及び、購入金額を計算して、前記発注データテーブルに記録する最低価格受信／発注先購入金額記録手段（５’）とを少なくとも備え、
企業の前記購入先Ｗｅｂサイトに注文受付サイトアドレスが備えられている時は、
前記発注伝票入力画面上で選ばれた発注データを、前記最低価格受信／発注先購入金額記録手段（５’）により発注データテーブルへ記録後、前記企業のパソコンの前記発注伝票入力画面においてＷｅｂブラウザの起動ボタンが選択された時に、該起動選択信号を受信し、発注先の前記注文受付サイトアドレスを前記購入先Ｗｅｂサイトアドレステーブルから読出し、ブラウザを起動し、発注先の注文受付サイトを開き、注文受付画面に発注データを自動入力して、該入力データを仕入先に発信するＷｅｂブラウザ起動受信／仕入先発注データ発信手段（６’）を備えることを特徴とするインターネットを利用した商品購入価格自動表示機能付仕入管理システム。
【発明の詳細な説明】
【０００１】
【発明の属する技術分野】
本発明は企業の各種の業務ソフトを備えるコンピュータシステムにおいて、仕入管理ソフトにより購買担当者がその発注伝票入力画面上で商品発注処理を行うに際し、複数の仕入先がその商品価格の情報を提供しているインターネット上のＷｅｂサイトのアドレスへ接続し、その価格を収集して前記発注伝票入力画面上に仕入先毎に一覧表示し、効率良く最低価格を見出すことができる仕入管理システムに関する。
【０００２】
【従来の技術】
ある特定の商品を購入するに際し、企業の購買担当者はその商品を取り扱っている複数の仕入先に電話或はＦＡＸで購入単価を確認し、もっとも安い購入単価を提示した仕入先から商品を購入していた。そして、その結果を企業の仕入管理業務ソフトの発注伝票入力画面などに発注データを入力して行っていた。
【０００３】
【発明が解決しようとする課題】
商品を発注するにあたって、複数の仕入先に電話をかけたり、ＦＡＸを入れたりして商品の購入価格を確認する作業は時間がかかる作業であった。加えて仕入先の担当者が不在であった場合には、即座に購入価格を知りたいときでも、回答がすぐに得られなかった。
【０００４】
そこで、本発明は前述した点に鑑みてなされたものであり、インターネット上の各社のＷｅｂサイトで公開されている商品価格情報を商品ＩＤにより入手し、仕入管理ソフトの発注伝票入力画面において、各社の商品価格を一覧表示させることにより、購買担当者が即座に最低価格を見出し、発注処理できる機能を有する仕入管理システムを提供する。
【０００５】
本発明のインターネットを利用した商品購入価格自動表示機能付仕入管理システムは、企業の業務を遂行する仕入管理ソフトを少なくとも含む各種業務ソフトを備える企業のコンピュータシステムと、その企業の仕入先各社の購入先Ｗｅｂサイトとから構成され、企業の購買担当者が商品を発注するに際し、インターネット上の前記購入先Ｗｅｂサイトで公開されている商品価格情報を取得し、前記仕入管理ソフトの発注伝票入力画面に前記各社の商品価格を一覧表示させ、前記購買担当者が最低価格を見出し、発注処理するシステムであって、前記購入先Ｗｅｂサイトからインターネットを利用して、ある特定の商品の購買価格を、その商品の商品ＩＤによって取得できるように、予め商品毎の業界によって統一された商品ＩＤ番号を定め、前記企業のコンピュータシステムは、商品毎に前記商品ＩＤ番号と、全ての購入先Ｗｅｂサイトアドレスをデータベースに予め登録し、発注伝票を作成するときは購買担当者が前記発注伝票入力画面へ商品コード、商品名を入力して、前記データベースより前記商品ＩＤ番号を読出し、それに関連する全ての購入先Ｗｅｂサイトアドレスに前記商品ＩＤ番号を発信させて、前記商品ＩＤの購入価格を受信して、前記発注伝票入力画面にその一覧表を表示する手段を備え、前記企業のコンピュータシステムのデータベースは、少なくとも商品マスタである商品基本情報テーブルと、仕入先マスタである仕入先基本情報テーブルと、各社毎の購入先Ｗｅｂサイトアドレステーブルと、各社毎の発注データテーブルとからなり、前記企業のコンピュータシステムは、前記仕入管理ソフトで記載されたプログラムの実行により機能する、購入先Ｗｅｂサイトアドレス登録画面において、商品コード、商品名、前記商品ＩＤ番号と、仕入先コード、仕入先名、当該商品の価格情報を提供している購入先商品価格提供サイトアドレス及びその購入先注文受付サイトアドレスを入力して、それらのデータを前記購入先Ｗｅｂサイトアドレステーブルに登録する購入先Ｗｅｂサイトアドレス登録手段（１）と、前記発注伝票入力画面において、発注番号、発注日付、商品コードを入力して、前記購入先Ｗｅｂサイトアドレステーブルを検索し、商品ＩＤ番号及び商品名を自動表示させる商品ＩＤ番号自動表示手段（２）と、仕入商品の前記商品ＩＤ番号をインターネットを経由して、前記購入先商品価格提供サイトアドレスに発信する商品価格提供依頼発信手段（３）と、商品価格提供依頼により、前記購入先Ｗｅｂサイトから前記商品ＩＤ番号の商品コード、商品名、価格からなる返信データを受信して、仕入先毎の仕入先コード、仕入先名、商品コード、商品名、価格の一覧表を、前記アドレステーブルに基づいて生成した発注先選択リストを表示する商品価格一覧表示手段（４）と、前記発注先選択リストにより、最低価格を提示している仕入先を商品の発注先として選択し、単価と、その商品数量を入力し、購入金額を計算して、前記発注データテーブルに記録する発注先購入金額記録手段（５）とを少なくとも備え、前記企業の購入先Ｗｅｂサイトに注文受付サイトアドレスが備えられている時は、前記発注伝票入力画面上で、前記発注先購入金額記録手段（５）により発注データテーブルへ発注データを記録後、前記発注伝票入力画面からＷｅｂブラウザを起動し、発注先の前記注文受付サイトアドレスを前記購入先Ｗｅｂサイトアドレステーブルから読出し、発注先の注文受付サイトを開き、注文受付画面に発注データを自動入力して、該入力データを発注先に発信する仕入先発注データ発信手段（６）を備えることを特徴とする。
【０００８】
また、企業のＷｅｂブラウザを有するパソコンと、それらの企業のパソコンからインターネットを経由する少なくとも仕入管理ソフトを含む各種業務ソフトのレンタル利用依頼アクセス信号に応答して、その業務ソフトのメニュー及び業務処理入力画面を企業のパソコンへ送信し企業業務を遂行させる業務ソフトサービス運営事業者のデータセンタと、それら企業の仕入先各社の購入先Ｗｅｂサイトとから構成され、企業の購買担当者が商品を発注するに際し、その企業のパソコンへ前記データセンタから送信された仕入管理ソフトに記載されたプログラムの実行により機能し、前記発注伝票入力画面上でインターネット上の前記購入先Ｗｅｂサイトで公開されている商品価格情報を取得し、前記発注伝票入力画面に前記各社の商品価格を一覧表示させ、前記購買担当者が最低価格を見出し、発注処理できるシステムであって、前記各社Ｗｅｂサイトでインターネットを利用して、ある特定の商品の購買価格を、商品ＩＤによって取得できるように、予め商品毎の業界によって統一された商品ＩＤ番号を定め、前記企業のパソコンは、インターネットを経由して前記データセンタのデータベースへ商品毎に前記商品ＩＤ番号と、全ての購入先Ｗｅｂサイトアドレスを予め登録し、前記企業のパソコンで発注伝票を作成するときは、購買担当者が、前記発注伝票入力画面へ商品コード、商品名を入力して前記データセンタへ送付し、前記データセンタは該入力データをインターネットを介して受信し、前記データベースより前記商品ＩＤ番号を読出し、それに関連する全ての購入先Ｗｅｂサイトアドレスに商品ＩＤ番号を発信し、前記購入先Ｗｅｂサイトから該当する前記商品ＩＤの購入価格を受信して、該受信データをインターネットを経由して前記企業のパソコンへ送信し、該送信データを受信した前記企業のパソコンは、前記発注伝票入力画面に商品購入価格一覧表を表示する手段を備え、前記データセンタの前記データベースは、少なくとも前記会員のＩＤコード・パスワードを記録する会員テーブルと、商品基本情報テーブルと、仕入先基本情報テーブルと、購入先Ｗｅｂサイトアドレステーブルと、発注データテーブルとからなり、前記データセンターは、前記企業のパソコンから仕入管理ソフトの購入先Ｗｅｂサイトアドレス登録依頼があるときは、そのパスワードと前記会員テーブルとにより認証を行い、該アクセス信号に応答して、前記企業のパソコンへ購入先Ｗｅｂサイトアドレス登録画面を送信すると共に、その登録画面において、企業担当者が商品コード、商品名、前記商品ＩＤ番号と、仕入先コード、仕入先名、当該商品の価格情報を提供している購入先商品価格提供サイトアドレス及びその購入先注文受付サイトアドレスを入力すると、該入力データをインターネット経由で受信し、該受信データを前記購入先Ｗｅｂサイトアドレステーブルに登録する購入先Ｗｅｂサイトアドレス登録画面送信／データ受信手段（１’）と、前記企業のパソコンから発注伝票作成依頼があるときは、そのパスワードと前記会員テーブルとにより認証を行い、該アクセス信号に応答して、前記企業のパソコンへ発注伝票入力画面を送信すると共に、その入力画面により企業担当者が発注番号、発注日付、商品コードを入力して、インターネット経由で送信すると、該送信データを受信し、購入先Ｗｅｂサイトアドレステーブルを検索し、商品ＩＤ番号及び商品名を読出し、前記企業のパソコンへ送信し、該送信データを受信したパソコンの端末画面に自動表示させる発注伝票入力画面送信／商品ＩＤ番号自動表示手段（２’）と、前記商品ＩＤ番号をインターネットを経由して前記購入先商品価格提供サイトアドレスに発信する商品価格提供依頼発信手段（３’）と、商品価格提供依頼を受信した購入先Ｗｅｂサイトからの当該商品ＩＤ番号の商品コード、商品名、価格の返信データを受信し、仕入先毎の仕入先コード、仕入先名、商品コード、商品名、価格の一覧表をインターネット経由で前記企業のパソコンへ送信し、発注先選択リストを表示させる商品価格一覧生成／送信表示手段（４’）と、前記発注先選択リストから、最低価格を提示している仕入先を商品の発注先として選択した前記企業のパソコンからの選択信号及び、入力商品数量データ信号を受信し、商品単価及び、購入金額を計算して、前記発注データテーブルに記録する最低価格受信／発注先購入金額記録手段（５’）とを少なくとも備え、企業の前記購入先Ｗｅｂサイトに注文受付サイトアドレスが備えられている時は、前記発注伝票入力画面上で選ばれた発注データを、前記最低価格受信／発注先購入金額記録手段（５’）により発注データテーブルへ記録後、前記企業のパソコンの前記発注伝票入力画面においてＷｅｂブラウザの起動ボタンが選択された時に、該起動選択信号を受信し、発注先の前記注文受付サイトアドレスを前記購入先Ｗｅｂサイトアドレステーブルから読出し、ブラウザを起動し、発注先の注文受付サイトを開き、注文受付画面に発注データを自動入力して、該入力データを仕入先に発信するＷｅｂブラウザ起動受信／仕入先発注データ発信手段（６’）を備えることを特徴とする。
【００１１】
【発明の実施の形態】
本発明のインターネットを利用した商品購入価格自動表示機能付仕入管理システムの実施の形態を以下、図に基づいて説明する。
【００１２】
図１は本発明の第１の実施の形態の仕入管理システム１の構成図を示す。
【００１３】
仕入管理システム１は、企業のコンピュータシステム１０と、インターネット９０を経由して交信するその企業の仕入先である複数の購入先Ｗｅｂサイト３０，３０とから構成される。この構成により企業の購買担当者が商品を発注するに際し、インターネット９０上の各社Ｗｅｂサイト３０，３０で公開されている商品価格情報を取得し、仕入管理ソフト１４ａの発注データ入力画面に各社の商品価格を一覧表示させ、担当者は最低価格を効率良く短い時間で発注処理できるシステムである。
【００１４】
企業のコンピュータシステム１０は、この実施例ではＷｅｂサーバ１１、データベースサーバ１２、そのデータベースサーバ１２に管理されるデータベース１３、アプリケーションサーバ１４、そのクライアント端末である業務処理端末１５，１５からなる。
【００１５】
さらに詳しくは、データベース１３は商品マスタである商品基本情報テーブル１３ａ、仕入先マスタである仕入先基本情報テーブル１３ｂ、購入先Ｗｅｂサイトアドレステーブル１３ｘ、発注データテーブル１３ｙからなる。
【００１６】
また、アプリケーションサーバ１４はＷｅｂブラウザ１４ｚ及び仕入管理ソフト１４ａを備えるが、その仕入管理ソフト１４ａは１４ｂ，１４ｃ，１４ｄ，１４ｅ，１４ｆ，１４ｇの各手段を備える。
【００１７】
手段１４ｂは、購入先Ｗｅｂサイトアドレス登録画面により、商品コード、商品名、その商品ＩＤ番号を入力し、次に仕入先コード、仕入先名、当該商品の価格情報を提供している購入先商品価格提供サイトアドレス及びその購入先注文受付サイトアドレスを入力すれば、それらのデータが購入先Ｗｅｂサイトアドレステーブル１３ｘに登録する購入先Ｗｅｂサイトアドレス登録手段１４ｂである。
【００１８】
また手段１４ｃは、発注伝票入力画面により、発注番号、発注日付、商品コードを入力すれば、前記購入先Ｗｅｂサイトアドレステーブル１３ｘをシステムは検索し商品ＩＤ番号及び商品名を自動表示させる商品ＩＤ番号自動表示手段１４ｃである。
【００１９】
また手段１４ｄは、当該商品の商品ＩＤ番号をＷｅｂブラウザ１４ｚによりインターネットを経由してアドレステーブル１３ｘの購入先商品価格提供サイトアドレスに発信する商品価格提供依頼発信手段１４ｄである。
【００２０】
また手段１４ｅは、商品価格提供依頼を受信した購入先各社Ｗｅｂサイトからの当該商品ＩＤ番号の商品コード、商品名、価格のインターネット９０を経由した返信データをそれぞれ受けて、購入先である仕入先毎に仕入先コード、仕入先名、商品コード、商品名、価格の一覧表をアドレステーブル１３ｘに基づいて生成した発注先選択リストを表示する商品価格一覧表示手段１４ｅである。
【００２１】
また手段１４ｆは、発注先選択リストにより、最低価格を提示している仕入先を商品の発注先として選択して単価を確定させ、その商品数量を入力すれば、システムは購入金額を計算して発注データテーブル１３ｙに記録する発注先購入金額記録手段１４ｆである。
【００２２】
また手段１４ｇは、発注伝票入力画面上で、発注先購入金額記録手段１４ｆにより発注データテーブル１３ｙに記録後、その発注伝票入力画面からＷｅｂブラウザを起動すれば、システムはその発注先の注文受付サイトアドレスを購入先Ｗｅｂサイトアドレステーブル１３ｘから読込み、発注先の注文受付サイト３０を開き、その注文受付画面に発注データを入力して、そのデータをその発注先に発信する仕入先発注データ発信手段１４ｇである。
【００２３】
次に、図１に示す仕入管理システム１（第１の実施の形態）の動作の流れを図３，４に示す。
【００２４】
図３のＳ３１〜Ｓ３４は購入先Ｗｅｂサイトアドレス登録手段１４ｂを示す。
Ｓ３１〜Ｓ３４を繰返し、購入先Ｗｅｂサイトアドレスを購入したい商品毎に予め登録しておく。
【００２５】
図４のＳ４１は商品ＩＤ番号自動表示手段１４ｃを示す。Ｓ４２は商品価格提供依頼発信手段１４ｄを示す。Ｓ４３は購入各社Ｗｅｂサイト３０の対応を示す。Ｓ４４は商品価格一覧表示手段１４ｅを示す。Ｓ４５は発注先購入金額記録手段１４ｆを示す。Ｓ４６は仕入先発注データ発信手段１４ｇを示す。
【００２６】
なお、図５には購入先サイトアドレス登録画面の具体的な実施例を示す。また、図６には発注伝票入力画面の具体的な実施例を示す。この例では仕入先コード３５８５、仕入先名ＺＺＺＺＺＺＺが最低価格（１２０，０００）である。
【００２７】
次に、本発明の仕入管理システム２（第２の実施の形態）の構成図を図２に基づいて説明する。
【００２８】
仕入管理システム２は、企業のＷｅｂブラウザ５０ａを有するパソコン５０，５０と、それらの企業のパソコン５０からインターネット９０を経由する少なくとも仕入管理ソフト２４ａを含む各種業務ソフトのレンタル利用依頼アクセス信号に応答して、その業務ソフトのメニュー及び業務処理入力画面を企業のパソコン５０へ送信し企業業務を遂行させる業務ソフトサービス運営事業者のデータセンタ２０と、それら企業の仕入先購入先各社Ｗｅｂサイト３０とから構成される。
【００２９】
企業の購買担当者が、パソコン５０で商品を発注するに際し、その企業のパソコン５０へデータセンタ２０から送信された仕入管理ソフト２４ａの発注データ入力画面上でインターネット９０上の各社Ｗｅｂサイト３０，３０で公開されている商品価格情報をそれぞれ取得し、その発注データ入力画面或はそのサブウィンドウに各社毎の商品価格を一覧表示させ、前記担当者は最低価格を短時間で見出し発注処理できるシステムである。
【００３０】
業務ソフトサービス運営事業者のデータセンタ２０は、この実施例ではＷｅｂサーバ２１、データベースサーバ２２、そのデータベースサーバ２２に管理されるデータベース２３、アプリケーションサーバ２４、そのクライアント端末である業務処理端末２５，２５からなる。
【００３１】
さらに詳しくは、データベース２３は商品マスタである商品基本情報テーブル２３ａ、仕入先マスタである仕入先基本情報テーブル２３ｂ、購入先Ｗｅｂサイトアドレステーブル２３ｘ、発注データテーブル２３ｙ、会員テーブル２３ｚからなる。
【００３２】
またアプリケーションサーバ２４は、Ｗｅｂブラウザ２４ｚ及び仕入管理ソフト２４ａを備えるが、その仕入管理ソフト２４ａは２４ｂ，２４ｃ，２４ｄ，２４ｅ，２４ｆ，２４ｇの各手段を備える。
【００３３】
手段２４ｂは、企業のパソコン５０から仕入管理ソフト２４ａの購入先Ｗｅｂサイトアドレス登録依頼があるときは、そのアクセス信号に応答して、依頼のパスワードと会員テーブル２３ｚとから認証を行ない、会員ならば企業のパソコン５０へ購入先Ｗｅｂサイトアドレス登録画面を送信すると共に、その登録画面により企業のパソコン５０で担当者が商品コード、商品名、その商品ＩＤ番号を入力し、さらに仕入先コード、仕入先名、当該商品の価格情報を提供している購入先商品価格提供サイトアドレス及びその購入先注文受付サイトアドレスを入力すれば、それらのデータをインターネット経由で受信したデータセンタ１０は、それらのデータを前記購入先Ｗｅｂサイトアドレステーブル２３ｘに登録する購入先Ｗｅｂサイトアドレス登録画面送信／データ受信手段２４ｂである。
【００３４】
手段２４ｃは、企業のパソコン５０から仕入管理ソフト２４ａの発注伝票作成依頼があるときは、そのアクセス信号に応答して、依頼のパスワードと会員テーブル２３ｚとから認証を行ない、会員ならば企業のパソコン５０へ発注伝票入力画面を送信すると共にその入力画面により企業担当者がパソコン５０へ発注番号、発注日付、商品コードを入力すれば、それらのデータをインターネット９０経由で受信したデータセンタ１０は、購入先Ｗｅｂサイトアドレステーブル２３ｘを検索し、商品ＩＤ番号及び商品名を読出し、そのデータを企業のパソコン５０へ送信し、その端末画面に自動表示させる発注伝票入力画面送信／商品ＩＤ番号自動表示手段２４ｃである。
【００３５】
手段２４ｄは、当該商品の商品ＩＤ番号がデータセンタ２０からインターネット９０を経由してアドレステーブル２３ｘの購入先商品価格提供サイトアドレスに発信する商品価格提供依頼発信手段２４ｄである。
【００３６】
手段２４ｅは、商品価格提供依頼を受信した購入先各社Ｗｅｂサイト３０，３０からの当該商品ＩＤ番号の商品コード、商品名、価格のインターネット９０を経由した返信データを受信したデータセンタ２０は、購入先である仕入先コード毎に仕入先名、商品コード、商品名、価格の一覧表をアドレステーブル２３ｘに基づいて生成した発注先選択リストをインターネット経由で企業のパソコン５０へ送信し、そこでそのリストを表示する商品価格一覧生成／送信表示手段２４ｅである。
【００３７】
手段２４ｆは、発注先選択リストにより最低価格を提示している仕入先を商品の発注先として選択した企業のパソコン５０からの選択信号を受信したデータセンタ２０は、そのデータにより商品単価を確定したので、次に企業のパソコン５０で入力した商品数量データ信号を受信したデータセンタ２０は購入金額を計算して発注データテーブル２３ｙに記録する最低価格受信／発注先購入金額記録手段２４ｆである。
【００３８】
手段２４ｇは、企業のパソコン５０の発注伝票入力画面上で手段２４ｆにより発注データテーブル２３ｙへ発注データを記録後、その入力画面からＷｅｂブラウザ２４ｚの起動ボタンを選択すればその起動選択信号を受信したデータセンタ２０は、ブラウザを起動し、その発注先の注文受付サイトアドレスを購入先Ｗｅｂサイトアドレステーブル２３ｘから読込み、発注先の注文受付サイト３０を開き、その注文受付画面に発注データを入力して、そのデータを仕入先に発信するＷｅｂブラウザ起動受信／仕入先発注データ発信手段２４ｇである。
【００３９】
次に、図２に示す仕入管理システム２（第２の実施の形態）の動作の流れを図７，８，９に示す。
【００４０】
図７のＳ７１〜Ｓ７４は購入先Ｗｅｂサイトアドレス登録画面送信／データ受信手段２４ｂを示す。Ｓ７１〜Ｓ７４の繰返しを購入したい商品毎に各企業がそれぞれ予め登録する。
【００４１】
図８のＳ８１〜Ｓ８５は発注伝票入力画面送信／商品ＩＤ番号自動表示手段２４ｃを示す。
【００４２】
Ｓ８６は商品価格提供依頼発信手段２４ｄを示す。
【００４３】
Ｓ８７〜Ｓ８９は商品価格一覧生成／送信手段２４ｅを示す。
【００４４】
図９のＳ９１，Ｓ９２は最低価格受信／発注先購入金額記録手段２４ｆを備える。
【００４５】
Ｓ９３〜Ｓ９５はＷｅｂブラウザ起動受信／仕入先発注データ発信手段２４ｇを示す。
【００４６】
以上のＳ８１〜Ｓ９５の商品毎の繰返しをそれぞれの企業が必要に応じて行う。
【００４７】
【発明の効果】
本発明のインターネットを利用した商品購入価格自動表示機能付仕入管理システムは、次のような効果を奏する。
【００４８】
商品を発注するにあたって、複数の仕入先に電話をかけたり、ＦＡＸを入れたり、或はインターネットを介して仕入先Ｗｅｂサイトに接続し、商品の購入価格を確認する作業を行う必要がなく、効率的に、しかも短時間で発注作業をすることができる。
【００４９】
特に、各商品に対して各業界で統一された商品ＩＤ番号を設け、各社のＷｅｂサイトで公開されている商品価格情報をその商品ＩＤにより取得できるようにして、容易に各社の商品価格を発注入力画面上に表示させるようにしたので、その最低価格の仕入先を短時間に調べ、購入先を決定できる効率的なシステムとすることができる。
【図面の簡単な説明】
【図１】本発明のインターネットを利用した商品購入価格自動表示機能付仕入管理システムの構成図である。（第１の実施の形態）
【図２】本発明のインターネットを利用した商品購入価格自動表示機能付仕入管理システムの構成図である。（第２の実施の形態）
【図３】本発明の仕入管理システム（第１の実施の形態）の動作の流れ図である。
【図４】本発明の仕入管理システム（第１の実施の形態）の動作の流れ図である。
【図５】本発明の購入先Ｗｅｂサイトアドレス登録画面図である。
【図６】本発明の発注伝票入力画面図である。
【図７】本発明の仕入管理システム（第２の実施の形態）の動作の流れ図である。
【図８】本発明の仕入管理システム（第２の実施の形態）の動作の流れ図である。
【図９】本発明の仕入管理システム（第２の実施の形態）の動作の流れ図である。
【符号の説明】
１，２          インターネットを利用した商品購入価格自動表示機能付仕入管理システムの第１及び第２の実施の形態
１０              企業のコンピュータシステム
１１，２１        Ｗｅｂサーバ
１２，２２        データベースサーバ
１３，２３        データベース
１３ａ，２３ａ    商品基本情報テーブル
１３ｂ，２３ｂ    仕入先基本情報テーブル
１３ｘ，２３ｘ    購入先Ｗｅｂサイトアドレステーブル
１３ｙ，２３ｙ    発注データテーブル
１４，２４        アプリケーションサーバ
１４ａ，２４ａ    仕入管理ソフト
１４ｂ            購入先Ｗｅｂサイトアドレス登録手段
１４ｃ            商品ＩＤ番号自動表示手段
１４ｄ            商品価格提供依頼発信手段
１４ｅ            商品価格一覧表示手段
１４ｆ            発注先購入金額記録手段
１４ｇ            仕入先発注データ発信手段
１４ｚ，２４ｚ    Ｗｅｂブラウザ
１５，２５        業務処理端末
２０              データセンタのコンピュータシステム
２３ｚ            会員テーブル
２４ｂ            購入先Ｗｅｂサイトアドレス登録画面送信／データ受信手段
２４ｃ            発注伝票入力画面送信／商品ＩＤ番号自動表示手段
２４ｄ            商品価格提供依頼発信手段
２４ｅ            商品価格一覧生成／送信表示手段
２４ｆ            最低価格受信／発注先購入金額記録手段
２４ｇ            Ｗｅｂブラウザ起動受信／仕入先発注データ発信手段
３０              購入先Ｗｅｂサイト、発注先の注文受付サイト
５０              企業のパソコン
５０ａ            Ｗｅｂブラウザ
９０              インターネット
【図１】
0004649674.tif 000002
【図２】
0004649674.tif 000003
【図３】
0004649674.tif 000004
【図４】
0004649674.tif 000005
【図５】
0004649674.tif 000006
【図６】
0004649674.tif 000007
【図７】
0004649674.tif 000008
【図８】
0004649674.tif 000009
【図９】
0004649674.tif 000010